(57)【特許請求の範囲】
【請求項１】
画像を入力するための画像入力手段および画像を出力するための画像出力手段を備えた画像形成装置において、
外部装置より印刷データを受信すると、前記印刷データを印刷可能な画像データへ変換し、前記画像出力手段を用いて画像を記録出力するプリンタ機能を実現するプリンタ機能制御手段と、
着脱自在なリムーバブルメディアに対してデータをアクセスするリムーバブルメディア制御手段と、
前記外部装置より印刷データを受信した際、前記リムーバブルメディアに蓄積済みの印刷データが存在するか否かを調べる印刷データ制御手段とを備え、
該印刷データ制御手段により調べた結果、前記リムーバブルメディアに前記蓄積済みの印刷データが存在しない場合、前記外部装置から受信した前記印刷データを前記リムーバブルメディア制御手段により前記リムーバブルメディアに保存するようにしたことを特徴とする画像形成装置。
【請求項２】
前記リムーバブルメディアに前記外部装置から受信した印刷データを保存する際、該印刷データを、前記プリンタ機能制御手段により前記印刷可能な画像データへ変換した後に保存することを特徴とする請求項１記載の画像形成装置。
【請求項３】
画像を入力するための画像入力手段および画像を出力するための画像出力手段を備えた画像形成装置において、
回線へ接続し、所定のファクシミリ通信手順に従って相手端末との間でファクシミリ通信を行うファクシミリ機能を実現するファクシミリ機能制御手段と、
着脱自在なリムーバブルメディアに対してデータをアクセスするリムーバブルメディア制御手段と、
前記ファクシミリ機能制御手段がファクシミリ送信動作する際、前記リムーバルメディアに蓄積済みのファクシミリ送信データが存在するか否かを調べるファクシミリ送信データ制御手段と、
前記ファクシミリ機能制御手段がファクシミリ受信動作する際、前記リムーバルメディアに蓄積済みのファクシミリ受信データが存在するか否かを調べるファクシミリ受信データ制御手段とを備え、
前記ファクシミリ送信データ制御手段により調べた結果、前記リムーバルメディアに前記蓄積済みのファクシミリ送信データが存在しない場合、送信するファクシミリ送信データを前記リムーバルメディア制御手段により前記リムーバブルメディアに保存し、
前記ファクシミリ受信データ制御手段により調べた結果、前記リムーバルメディアに前記蓄積済みのファクシミリ受信データが存在しない場合、受信したファクシミリ受信データを前記リムーバルメディア制御手段により前記リムーバブルメディアに保存するようにしたことを特徴とする画像形成装置。
【請求項４】
請求項３記載の画像形成装置において、
前記リムーバブルメディアに保存するファクシミリ送信データは、前記画像入力手段により入力した画像データを、ファクシミリ通信により送信可能となるように変換したものであり、
前記ファクシミリ送信データ制御手段により調べた結果、前記リムーバルメディアに前記蓄積済みのファクシミリ送信データが存在しない場合、送信するファクシミリ送信データを前記リムーバルメディア制御手段により前記リムーバブルメディアに保存すると共に該ファクシミリ送信データに基づきファクシミリ送信を行うようにしたことを特徴とする請求項３記載の画像形成装置。
【請求項５】
前記リムーバブルメディアに保存したファクシミリ送信データを送信または前記リムーバブルメディアに保存したファクシミリ受信データを印刷する際には、その送信または印刷に先立って、前記ファクシミリ送信データ及び前記ファクシミリ受信データに所定のマークを付加することを特徴とする請求項３または請求項４記載の画像形成装置。
【請求項６】
前記リムーバブルメディアにファクシミリ送信データ及びファクシミリ受信データを保存する際には、その保存するデータに所定のマークを付加することを特徴とする請求項３または請求項４記載の画像形成装置。
【発明の詳細な説明】
【技術分野】
【０００１】
本発明は、画像を入力するための画像入力手段および画像を出力するための画像出力手段を備えた画像形成装置に関する。
【背景技術】
【０００２】
従来、画像を入力するための画像入力手段および画像を出力するための画像出力手段を備えた画像形成装置においては、基本動作としては入力データを加工し出力するが、その際に装置内部のデータバッファメモリを介して画像処理や入出力制御を行っている。
【０００３】
しかし装備されている入出力手段の性能を効率よく引き出すためには、このバッファメモリの容量が重要であり、実際このバッファメモリの搭載容量によってシステム全般の機能・性能が制約されている例が多い。
【０００４】
これは商品としてラインナップ展開を容易にする等の目的が考えられる。
【０００５】
従って、単にメモリ容量を入出力手段の性能を満たすだけ搭載すれば、その部品構成上、最高の機能・性能を提供することが可能となるが、メモリ容量増加は単純にコストアップにつながることは言うまでも無い。
【０００６】
また磁気ディスクや光ディスクといった大容量外部記憶装置を画像バッファとして活用すること従来考案されているが（特許文献１参照）、着脱性を活かした新たな機能を提供するまでには至っていない。
【特許文献１】特開平１０−３０８８６１号公報
【発明の開示】
【発明が解決しようとする課題】
【０００７】
また、光ディスクの進化が衰えない中、フラッシュメモリ等の半導体記憶デバイスの進化も著しい。
【０００８】
これらはＵＳＢなどのＩ／Ｆにより機器とのホットドッキングを可能としておりリムーバブル性と小型化によるモバイル性が特徴と言える。
【０００９】
そこで、本発明ではこのリムーバブルメディアを使い、本体に搭載するメモリ容量を増やすことなく、システムの機能、性能を向上させると共に新たな機能展開を容易とする画像形成装置を提供することを目的とする。
【課題を解決するための手段】
【００１０】
本発明は、画像を入力するための画像入力手段および画像を出力するための画像出力手段を備えた画像形成装置において、外部装置より印刷データを受信すると、前記印刷データを印刷可能な画像データへ変換し、前記画像出力手段を用いて画像を記録出力するプリンタ機能を実現するプリンタ機能制御手段と、着脱自在なリムーバブルメディアに対してデータをアクセスするリムーバブルメディア制御手段と、前記外部装置より印刷データを受信した際、前記リムーバブルメディアに蓄積済みの印刷データが存在するか否かを調べる印刷データ制御手段とを備え、該印刷データ制御手段により調べた結果、前記リムーバブルメディアに前記蓄積済みの印刷データが存在しない場合、前記外部装置から受信した前記印刷データを前記リムーバブルメディア制御手段により前記リムーバブルメディアに保存するようにしたものである。
【００１１】
また、前記リムーバブルメディアに前記外部装置から受信した印刷データを保存する際、該印刷データを、前記プリンタ機能制御手段により前記印刷可能な画像データへ変換した後に保存するようにしたものである。
【００１４】
また、画像を入力するための画像入力手段および画像を出力するための画像出力手段を備えた画像形成装置において、回線へ接続し、所定のファクシミリ通信手順に従って相手端末との間でファクシミリ通信を行うファクシミリ機能を実現するファクシミリ機能制御手段と、着脱自在なリムーバブルメディアに対してデータをアクセスするリムーバブルメディア制御手段と、前記ファクシミリ機能制御手段がファクシミリ送信動作する際、前記リムーバルメディアに蓄積済みのファクシミリ送信データが存在するか否かを調べるファクシミリ送信データ制御手段と、前記ファクシミリ機能制御手段がファクシミリ受信動作する際、前記リムーバルメディアに蓄積済みのファクシミリ受信データが存在するか否かを調べるファクシミリ受信データ制御手段とを備え、前記ファクシミリ送信データ制御手段により調べた結果、前記リムーバルメディアに前記蓄積済みのファクシミリ送信データが存在しない場合、送信するファクシミリ送信データを前記リムーバルメディア制御手段により前記リムーバブルメディアに保存し、前記ファクシミリ受信データ制御手段により調べた結果、前記リムーバルメディアに前記蓄積済みのファクシミリ受信データが存在しない場合、受信したファクシミリ受信データを前記リムーバルメディア制御手段により前記リムーバブルメディアに保存するようにしたものである。
【００１５】
また、前記リムーバブルメディアに保存するファクシミリ送信データを、前記画像入力手段により入力した画像データを、ファクシミリ通信により送信可能となるように変換したものとし、前記ファクシミリ送信データ制御手段により調べた結果、前記リムーバルメディアに前記蓄積済みのファクシミリ送信データが存在しない場合、送信するファクシミリ送信データを前記リムーバルメディア制御手段により前記リムーバブルメディアに保存すると共に該ファクシミリ送信データに基づきファクシミリ送信を行うようにしたものである。
【００１６】
また、前記リムーバブルメディアに保存したファクシミリ送信データを送信または前記リムーバブルメディアに保存したファクシミリ受信データを印刷する際には、その送信または印刷に先立って、前記ファクシミリ送信データ及び前記ファクシミリ受信データに所定のマークを付加するようにしたものである。
【００１７】
また、前記リムーバブルメディアにファクシミリ送信データ及びファクシミリ受信データを保存する際には、その送信または印刷に先立って、前記ファクシミリ送信データ及び前記ファクシミリ受信データに所定のマークを付加するようにしたものである。
【発明の効果】
【００１８】
したがって、本発明によれば、プリンタデータ受信印刷時において、リムーバブルメディアを利用することで、装置とは別次元での発展進化するデバイスにより装置機能のコストパフォーマンスを増加されることができるという効果を得る。また、従来はユーザーが触れることの無かったデータを装置外部に取り出すことができるので、新たな機能を提供できる可能性が出てくるという効果も得る。
【発明を実施するための最良の形態】
【００１９】
以下、添付図面を参照しながら、本発明の実施の形態を詳細に説明する。
【００２０】
図１は、本発明の一実施例にかかる画像形成装置の一例を示している。この画像形成装置は、プリンタ機能、複写機機能、および、ファクシミリ通信機能を備えている。また、いわゆるダイレクトプリント機能も備えている。
【００２１】
同図において、ＣＰＵ（中央処理装置）１は、この画像形成装置の動作を制御するプログラムを実行するためのものであり、ＲＯＭ（リード・オンリ・メモリ）２は、ＣＰＵ１が実行する各種制御処理プログラムやそのプログラムを実行する際に必要となるパラメータなどを記憶するためのものであり、ＲＡＭ（ランダム・アクセス・メモリ）３は、ＣＰＵ１が実行するプログラムデータやスキャナにより読み取って得た画像データなどを蓄積するためのものであり、ＲＡＭ制御部４は、ＲＡＭ３に対するデータアクセスを制御するためのものであり、ＮＶＲＡＭ（不揮発性ＲＡＭ）５は、この画像形成装置の動作に必要な各種パラメータなどを記憶するためのものである。
【００２２】
スキャナエンジン６は、所定の解像度と色分解度で原稿画像を読み取るためのものであり、スキャナ制御部７は、スキャナエンジン６の動作を制御するためのものであり、画像読取部８は、スキャナエンジン６より出力される読取画像データを所定形式の画像データへ変換するものであり、画像処理部９は、種々の画像処理（変倍処理、ガンマ変換処理、解像度変換処理、画像データフォーマット変換処理（ＰＤＬ→画像データ）など）を行うものである。
【００２３】
プリンタエンジン１０は、所定の解像度と色再現度で印刷物を記録出力するためのものであり、レーザプリンタ方式、ＬＥＤプリンタ方式、あるいは、インクジェットプリンタ方式などが採用される。プリンタ制御部１１は、プリンタエンジン１０の動作を制御するためのものであり、画像書込部１２は、プリンタエンジン１０に対して書き込み画像データを送り出すためのものである。
【００２４】
網制御装置１３は、この画像形成装置をアナログ公衆網ＰＳＴＮへ接続するためのものであり、ファクシミリ制御部１４は、アナログ公衆網ＰＳＴＮを介して相手端末との間で所定のファクシミリ通信手順を行って画情報をやりとりするためのものである。また、ファクシミリ制御部１４は、画像データとファクシミリ画情報の間の解像度変換を行う解像度変換処理、画像データをファクシミリ画情報へ変換する符号化処理、ファクシミリ画情報を元の画像データへ変換する復号化処理など、ファクシミリ通信に必要な画像処理、種々の信号処理、および、データモデム処理などの機能も備えている。
【００２５】
メディアインタフェースユニット１５は、例えば、ＣＦ（コンパクトフラッシュ；登録商標）、ＳＤカード（登録商標）、ＭＭＣ（マルチメディアカード；登録商標）、メモリースティック（登録商標）、および、ＵＳＢメモリ等のいわゆる半導体メモリ装置、または、ＣＤやＤＶＤ等の光学ディスク記憶媒体等のリムーバブルメディア１６を着脱し、これらのリムーバブルメディア１６へのデータアクセスを行うためのものであり、メディア制御部１７は、メディアインタフェースユニット１５のデータアクセス動作を制御するためのものである。
【００２６】
操作表示部１８は、この画像形成装置をユーザが操作するために必要な各種操作手段（キーなど）および表示手段（液晶表示器や各種ランプなど）を備えたものであり、操作インタフェース制御部１９は、操作表示部１８のデータ入出力動作を制御するためのものである。
【００２７】
外部ホストインタフェース制御部２０は、例えば、ＩＥＥＥ−１３９４やＵＳＢ、あるいは、ネットワークなどを介し、外部のホスト装置へ接続し、ホスト装置との間で通信を行って種々のデータをやりとりするためのものである。また、この外部インタフェース制御部２０を用いて、ダイレクトプリント機能も実現される。
【００２８】
これらのＣＰＵ１、ＲＯＭ２、ＲＡＭ制御部４、ＮＶＲＡＭ５、スキャナ制御部７、画像処理部９、プリンタ制御部１１、画像書込部１２、ファクシミリ制御部１４、メディア制御部１７、操作表示制御部１９、および、外部ホストインタフェース制御部２０は、内部バス２１に接続されており、これらの各要素間のデータのやりとりは、主としてこの内部バス２１を介して行われている。
【００２９】
図２（ａ），（ｂ）は、この画像形成装置におけるプリンタデータ印刷動作の一例を示している。
【００３０】
この場合、外部ホストＩ／Ｆ制御部２０が外部ホスト機器から印刷データを受信し、その印刷データは、メディア制御部１７により、リムーバブルメディア１６へ保存される（同図（ａ）参照）。
【００３１】
また、リムーバブルメディア１６に蓄積された印刷データは、メディア制御部１７により読み出され、画像処理部９へ送られる。画像処理部９は、入力された印刷データを、プリンタエンジン１０で記録出力可能な画像データへ変換し、画像書込部１２を介して、プリンタエンジン１０へ転送する。
【００３２】
これにより、プリンタエンジン１０は、プリンタ制御部１１の制御下で、転送された画像データを印刷する印刷動作を行う（同図（ｂ）参照）。
【００３３】
したがって、この場合、リムーバブルメディア１６に印刷データを保存するので、その時点でリムーバブルメディア１６を装置から取り外し可能であり、別のリムーバブルメディアアクセス機能を持つ装置において利用可能となる。
【００３４】
また、リムーバブルメディア１６を取り外さなければ、自端末で、リムーバブルメディア１６に保存した画像データの印刷を行うことができる。
【００３５】
図３（ａ），（ｂ）は、この画像形成装置におけるプリンタデータ印刷動作の他の例を示している。
【００３６】
この場合、外部ホストＩ／Ｆ制御部２０が外部ホスト機器から印刷データを受信し、その印刷データは、画像処理部９へ送られる。画像処理部９は、入力された印刷データを、プリンタエンジン１０で記録出力可能な画像データへ変換し、メディア制御部１７へと送り出す。
【００３７】
これにより、画像データは、メディア制御部１７によりリムーバブルメディア１６へ保存される（同図（ａ）参照）。
【００３８】
また、リムーバブルメディア１６に蓄積された画像データは、メディア制御部１７により読み出され、画像書込部１２を介して、プリンタエンジン１０へ転送される。
【００３９】
これにより、プリンタエンジン１０は、プリンタ制御部１１の制御下で、転送された画像データを印刷する印刷動作を行う（同図（ｂ）参照）。
【００４０】
図４は、外部ホスト機器より印刷データを受信した際に行う処理の一例を示している。
【００４１】
印刷データ受信時に、リムーバブルメディア１６に蓄積済みの印刷データが存在するかどうかを調べる（判断１０１）。判断１０１の結果がＮＯになるときには、印刷データを受信し（処理１０２）、印刷データをリムーバブルメディア１６に蓄積し（処理１０３）、印刷（処理１０４）する。
【００４２】
また、印刷データ受信時に、リムーバブルメディア１６に蓄積済みの印刷データが存在した場合で、判断１０１の結果がＹＥＳになるときには、処理１０４へ移行し、リムーバブルメディア１６に保存されている印刷データの印刷動作を行う（処理１０４）。
【００４３】
これにより、電源断でも、不揮発性のリムーバブルメディアに保存された印刷データにより印刷データの再印刷が可能である。
【００４４】
図５（ａ），（ｂ）は、ファクシミリ受信動作の一例を示している。
【００４５】
この場合、網制御装置１３を介して受信したファクシミリ画情報は、ファクシミリ制御部１４を介してメディア制御部１７へ転送され、メディア制御部１７により、リムーバブルメディア１６に保存される。
【００４６】
また、リムーバブルメディア１６に保存されたファクシミリ画情報は、メディア制御部１７により読み出されファクシミリ制御部１４に転送される。ファクシミリ制御部１４は、転送されたファクシミリ画情報を元の画像データへ変換した後、画像処理部９へ転送する。
【００４７】
画像処理部９は、転送された画像データを、プリンタエンジン１０で記録可能な画像データへ変換し、変換後の画像データを、画像書込部１２を介して、プリンタエンジン１０へ転送する。
【００４８】
これにより、プリンタエンジン１０は、プリンタ制御部１１の制御下で、転送された画像データを印刷する印刷動作を行う（同図（ｂ）参照）。
【００４９】
したがって、この場合、リムーバブルメディア１６にファクシミリ画情報を保存するので、その時点でリムーバブルメディア１６を装置から取り外し可能であり、別のリムーバブルメディアアクセス機能を持つ装置において利用可能となる。
【００５０】
また、リムーバブルメディア１６を取り外さなければ、自端末で、リムーバブルメディア１６に保存したファクシミリ画情報の画像の印刷を行うことができる。
【００５１】
図６（ａ），（ｂ）は、ファクシミリ受信動作の他の例を示している。
【００５２】
この場合、網制御装置１３を介して受信したファクシミリ画情報は、ファクシミリ制御部１４により元の画像データへ変換された後、画像処理部９へ転送される。
【００５３】
画像処理部９は、転送された画像データを、プリンタエンジン１０で記録可能な画像データへ変換し、変換後の画像データはメディア制御部１７へ転送され、メディア制御部１７により、リムーバブルメディア１６に保存される。
【００５４】
また、リムーバブルメディア１６に保存された印刷可能な画像データは、メディア制御部１７により読み出され、画像書込部１２を介して、プリンタエンジン１０へ転送される。
【００５５】
これにより、プリンタエンジン１０は、プリンタ制御部１１の制御下で、転送された画像データを印刷する印刷動作を行う（同図（ｂ）参照）。
【００５６】
ここでの従来との差はファクシミリ画像のバッファメモリとしてリムーバブルメディアを使用しているところである。
【００５７】
図７（ａ），（ｂ）は、ファクシミリ送信動作の一例を示している。
【００５８】
スキャナエンジン６により読み取られたデータは、画像読取部８を介して画像データへ変換され、画像処理部９により所定の画像データへと再変換された後に、ファクシミリ制御部１４へ送られる。
【００５９】
ファクシミリ制御部１４は、転送された画像データを、所定のファクシミリ画情報へ変換し、変換後のファクシミリ画情報はメディア制御部１７へ転送され、メディア制御部１７により、リムーバブルメディア１６に保存される。
【００６０】
また、リムーバブルメディア１６に保存されたファクシミリ画情報は、メディア制御部１７により読み出されファクシミリ制御部１４に転送される。ファクシミリ制御部１４は、転送されたファクシミリ画情報を網制御装置１３を介して、相手端末へと送信する。
【００６１】
したがって、この場合、リムーバブルメディア１６にファクシミリ画情報を保存するので、その時点でリムーバブルメディア１６を装置から取り外し可能であり、別のリムーバブルメディアアクセス機能を持つ装置において利用可能となる。
【００６２】
また、リムーバブルメディア１６を取り外さなければ、自端末で、リムーバブルメディア１６に保存したファクシミリ画情報の送信を行うことができる。
【００６３】
ここでの従来との差は、ファクシミリ画情報のバッファメモリとしてリムーバブルメディア１６を使用しているところである。
【００６４】
図８（ａ），（ｂ）は、ファクシミリ送信動作の他の例を示している。
【００６５】
スキャナエンジン６により読み取られたデータは、画像読取部８を介して画像データへ変換され、画像処理部９により所定の画像データへと再変換された後に、メディア制御部１７へ転送され、メディア制御部１７により、リムーバブルメディア１６に保存される。
【００６６】
また、リムーバブルメディア１６に保存された画像データは、メディア制御部１７により読み出され、ファクシミリ制御部１４に転送される。ファクシミリ制御部１４は、転送された画像データを、所定のファクシミリ画情報へ変換し、変換後のファクシミリ画情報は、ファクシミリ画情報を網制御装置１３を介して、相手端末へと送信される。
【００６７】
図９は、ファクシミリ送信時の処理の一例を示している。
【００６８】
ファクシミリ送信時に、リムーバブルメディア１６に蓄積済みのファクシミリ送信データが存在するかどうかを調べる（判断２０１）。リムーバブルメディアにファクシミリ送信データが存在せず、判断２０１の結果がＮＯになるときには、原稿を読み取り（処理２０２）、ファクシミリ送信データをリムーバブルメディア１６に蓄積し（処理２０３）、ファクシミリ送信（処理２０４）する。
【００６９】
一方、ファクシミリ送信時に、リムーバブルメディア１６に蓄積済みのファクシミリ送信データが存在した場合で、判断２０１の結果がＹＥＳになるときには、処理２０４へ移行し、リムーバブルメディア１６に保存されているファクシミリ送信データを送信する。
【００７０】
これにより、データを機外へ送信する前の、電源断後の電源再投入にて、判断２０１の判断により、不揮発性のリムーバブルメディア１６に保存されたファクシミリ送信データによりファクシミリ送信の再送が可能である。
【００７１】
図１０は、ファクシミリ受信時の処理の一例を示している。
【００７２】
ファクシミリ受信時に、リムーバブルメディア１６に蓄積済みのファクシミリ受信データが存在するかどうかを調べる（判断３０１）。リムーバブルメディア１６にファクシミリ受信データが存在せず、判断３０１の結果がＮＯになるときには、ファクシミリ受信をし（処理３０２）、ファクシミリ受信データをリムーバブルメディア１６に蓄積し（処理３０３）、印刷（処理３０４）する。
【００７３】
一方、ファクシミリ受信時に、リムーバブルメディア１６に蓄積済みのファクシミリ受信データが存在した場合で、判断３０１の結果がＹＥＳになるときには、処理３０４へ移行し、リムーバブルメディア１６に保存されているファクシミリ受信データを印刷する。
【００７４】
これにより、データを印刷する前の、電源断後の電源再投入でも、判断３０１の判断により、不揮発性のリムーバブルメディア１６に保存されたファクシミリ受信データによりファクシミリ受信データの再印刷が可能である。
【００７５】
図１１は、ファクシミリ送受信時の処理の一例を示している。
【００７６】
ファクシミリ送信時に、リムーバブルメディア１６に蓄積済みのファクシミリ送信データが存在するかどうかを調べる（判断４０１）。リムーバブルメディアにファクシミリ送信データが存在せず、判断４０１の結果がＮＯになるときには、原稿を読み取り（処理４０２）、ファクシミリ送信し（処理４０３）、ファクシミリ送信データをリムーバブルメディア１６に蓄積する（処理４０４）。
【００７７】
一方、ファクシミリ送信時に、リムーバブルメディア１６に蓄積済みのファクシミリ送信データが存在した場合で、判断４０１の結果がＹＥＳになるときには、蓄積された画像データに所定の印を書き込んだ後（処理４０５）、送信する（処理４０６）。
【００７８】
また、ファクシミリ受信時に、リムーバブルメディア１６に蓄積済みのファクシミリ受信データが存在するかどうかを調べる（判断４０７）。リムーバブルメディア１６にファクシミリ受信データが存在せず、判断４０７の結果がＮＯになるときには、ファクシミリ受信をし（処理４０８）、ファクシミリ受信データを印刷（処理４０９）した後に、ファクシミリ受信データをリムーバブルメディア１６に蓄積する（処理４１０）。
【００７９】
一方、ファクシミリ受信時に、リムーバブルメディア１６に蓄積済みのファクシミリ受信データが存在した場合で、判断４０７の結果がＹＥＳになるときには、リムーバブルメディア１６に保存されているファクシミリ受信データに所定の印を書き込み（処理４１１）、印刷する（処理４１２）。
【００８０】
図１２は、ファクシミリ送受信時の他の処理例を示している。
【００８１】
ファクシミリ送信時に、リムーバブルメディア１６に蓄積済みのファクシミリ送信データが存在するかどうかを調べる（判断５０１）。リムーバブルメディアにファクシミリ送信データが存在せず、判断５０１の結果がＮＯになるときには、原稿を読み取り（処理５０２）、画像データに所定の印を書き込んだ後（処理５０３）、ファクシミリ送信データをリムーバブルメディア１６に蓄積するとともに（処理５０４）、ファクシミリ送信する（処理５０５）。
【００８２】
一方、ファクシミリ送信時に、リムーバブルメディア１６に蓄積済みのファクシミリ送信データが存在した場合で、判断４０１の結果がＹＥＳになるときには、処理５０５へ移行し、リムーバブルメディア１６に蓄積された印付のファクシミリ送信データを送信する。
【００８３】
また、ファクシミリ受信時に、リムーバブルメディア１６に蓄積済みのファクシミリ受信データが存在するかどうかを調べる（判断５０６）。リムーバブルメディア１６にファクシミリ受信データが存在せず、判断５０６の結果がＮＯになるときには、ファクシミリ受信をし（処理５０７）、ファクシミリ受信データに所定の印を書き込み（処理５０８）、ファクシミリ受信データをリムーバブルメディア１６に蓄積する（処理５０９）とともに、ファクシミリ受信データを印刷する（処理５１０）。
【００８４】
一方、ファクシミリ受信時に、リムーバブルメディア１６に蓄積済みのファクシミリ受信データが存在した場合で、判断５０６の結果がＹＥＳになるときには、リムーバブルメディア１６に保存されている印付のファクシミリ受信データを印刷する。
【００８５】
以上のように、本実施例では、プリンタデータ受信印刷時において、リムーバブルメディア１６を利用することで、装置とは別次元での発展進化するデバイスにより装置機能のコストパフォーマンスを増加されることができる。また従来ユーザーが触れることの無かったデータを装置外部に取り出すことができるので、新たな機能を提供できる可能性が出てくる。
【００８６】
特にリムーバブルメディア１６が不揮発性である場合は、プリンタデータ受信時の印刷時に、機器の電源が遮断されたときでも、データがリムーバブルメディアに残っているため、再印刷が可能である。
【００８７】
さらに、リムーバブルメディア１６内で蓄積された画像データを、プリンタエンジン特有の画像データに加工しなかった場合は、よりユーザーにとって取り出しやすいデータとして持ちだすことができる。
【００８８】
また、ファクシミリ受信時の印刷時に、機器の電源が遮断されたときでも、画像データがリムーバブルメディアに残っているため、再電源投入で、再印刷が可能である。現在商品化されているファクシミリのメモリは、時間制限付でデータが揮発してしまうものが多いため、非常に効果が高い。
【００８９】
さらに、リムーバブルメディア１６内で蓄積された画像データがプリンタエンジンに特有な画像に加工されていないため、よりユーザーにとって取り出しやすいデータとして持ちだすことができる。
【００９０】
また、ファクシミリ送信時において、リムーバブルメディアを利用することで、装置とは別次元での発展進化するデバイスにより装置機能のコストパフォーマンスを増加されることができる。また従来ユーザーが触れることの無かったデータを装置外部に取り出すことができるので、新たな機能を提供できる可能性が出てくる。
【００９１】
特にリムーバブルメディアが不揮発性である場合は、ファクシミリ送信時に、機器の電源が遮断されたときでも、データがリムーバブルメディアに残っているため、再電源投入で、再送信が可能である。
【００９２】
また、リムーバブルメディア１６は容易にデータを持ち出せることは、逆に、セキュリティー面での心配がでてくる。そこで、持ち出されたファクシミリ送受信データ（画像データ）に直接印をつけることで、不正なデータの取り扱いが追跡可能となる。また、リムーバブルメディアからのデータの印刷、送信であれば、すべて印をつけることで、不正なデータの取り扱いが追跡可能となる。
【図面の簡単な説明】
【００９３】
【図１】本発明の一実施例にかかる画像形成装置の一例を示したブロック図。
【図２】この画像形成装置におけるプリンタデータ印刷動作の一例を示すフローチャート。
【図３】この画像形成装置におけるプリンタデータ印刷動作の他の例を示すフローチャート。
【図４】外部ホスト機器よりプリントデータ（印刷データ）を受信した際に行う処理の一例を示したフローチャート。
【図５】ファクシミリ受信動作の一例を示したフローチャート。
【図６】ファクシミリ受信動作の他の例を示したフローチャート。
【図７】ファクシミリ送信動作の一例を示したフローチャート。
【図８】ファクシミリ送信動作の他の例を示したフローチャート。
【図９】ファクシミリ送信時の処理の一例を示したフローチャート。
【図１０】ファクシミリ受信時の処理の一例を示したフローチャート。
【図１１】ファクシミリ送受信時の処理の一例を示したフローチャート。
【図１２】ファクシミリ送受信時の処理の他の例を示したフローチャート。
【符号の説明】
【００９４】
１  ＣＰＵ（中央処理装置）
２  ＲＯＭ（リード・オンリ・メモリ）
３  ＲＡＭ
５  ＮＶＲＡＭ
【図１】
0004745800.tif 000002
【図２】
0004745800.tif 000003
【図３】
0004745800.tif 000004
【図４】
0004745800.tif 000005
【図５】
0004745800.tif 000006
【図６】
0004745800.tif 000007
【図７】
0004745800.tif 000008
【図８】
0004745800.tif 000009
【図９】
0004745800.tif 000010
【図１０】
0004745800.tif 000011
【図１１】
0004745800.tif 000012
【図１２】
0004745800.tif 000013